(57)【特許請求の範囲】
【請求項１】
テーブルなどの被設置面に設置されるマイクロホンスタンドを含み、上記マイクロホンスタンドに所定の支持部材を介してマイクロホンを支持してなるマイクロホン装置において、
上記マイクロホンスタンドは、上記支持部材が立設される基盤部を備え、上記基盤部の底部の外周に沿って上記被設置面に対して非接触な重錘部が環状に一体的に配置されているとともに、上記重錘部にて囲まれた上記基盤部の底部には、上記重錘部を含めて上記基盤部全体を上記被設置面から浮いた状態に支持する上記基盤部とは異なる材料からなる支持脚が設けられており、上記基盤部に対する上記支持脚の支点が、上記マイクロホンおよび上記重錘部の各質量を含む上記基盤部の重心位置よりも上となる位置に配置されていることを特徴とするマイクロホン装置。
【請求項２】
上記重錘部の底部には、衝撃緩衝材が設けられていることを特徴とする請求項１に記載のマイクロホン装置。
【請求項３】
上記支持脚には、多角形の各頂点位置に配置される複数個の支持脚メンバーが含まれていることを特徴とする請求項１または２に記載のマイクロホン装置。
【請求項４】
上記支持脚は、円筒状またはリング状に形成されていることを特徴とする請求項１または２に記載のマイクロホン装置。
【請求項５】
上記支持脚の上記基盤部との対向する端部が、断面三角形状に形成されていることを特徴とする請求項１ないし４のいずれか１項に記載のマイクロホン装置。
【発明の詳細な説明】
【技術分野】
【０００１】
本発明は、マイクロホンを卓上で使用する際に用いられるマイクロホン装置に関し、さらに詳しく言えば、マイクロホン装置に加えられた外的な衝撃を減衰させることができるマイクロホン装置に関する。
【背景技術】
【０００２】
会議場などの卓上でマイクロホンを使用する際、マイクロホンを支えておくためにマイクロホン装置が用いられる。従来のマイクロホン装置は、例えば特許文献１に示すように、板状の基盤部から立設された支持部材の先端に取り付けられたクランプ部にマイクロホンの胴体を差し込むことで保持するようにしたものが一般的である。
【０００３】
また、テレビの収録スタジオなどにおいては、見栄えのよいグースネック型マイクロホンが良く用いられる。図８に示すように、グースネック型マイクロホン３は、フレキシブルシャフト３１の先端にマイクロホンユニット３２を備えたものからなり、このマイクロホン３を金属製の円盤体からなる基盤部２の一部に設けられた取付孔を介して支持されるようになっている。
【０００４】
通常、基盤部２は、安定性を良くするため、外周部側に肉厚が増された重錘部２１が設けられており、重錘部２１の底面をテーブルなどの被設置面Ｔに接地させることで、基盤部２が据え置かれるようになっている。重錘部２１の底面には、衝撃吸収するとともに、被設置面Ｔを保護するゴムなどの弾性部材２２が設けられている。
【０００５】
【特許文献１】実用新案登録第３００２３７７号公報（図３参照）
【発明の開示】
【発明が解決しようとする課題】
【０００６】
しかしながら、従来のマイクロホン装置１には、次のような問題があった。すなわち、卓上型のマイクロホン装置は、机の上に設置されるため、話者が机の上に置いた書類を動かしたり、手を動かしたりして発生した振動がスタンドを伝播してマイクロホンに入力されて振動雑音となることがあった。
【０００７】
この振動雑音を低減するため、基盤部２の底部に弾性部材２２を設けて振動を抑えるようにしている。また、振動を低減させる別の方法としては、基盤部２の質量を増やすことも考えられるが、質量を増やした場合、もし基盤部２が動いてしまう位に大きな振動が入力された場合、基盤部２の自重によってより大きな振動雑音が発生してしまうおそれがある。
【０００８】
とりわけ、従来のマイクロホン装置１は、基盤部２の外周部の底面が常に床面と接しているため、基盤部２の一方の縁が何らかの衝撃によって持ち上げられると、マイクロホン装置１が傾き、重心位置に戻そうとする復元力が働くため、重心を挟んで対向する縁が持ち上げられ、その際に基盤部２と被設置面Ｔのと間に振動雑音が繰り返し発生する。
【課題を解決するための手段】
【０００９】
そこで、本発明は上述した課題を解決するためになされたものであって、その目的は、基盤部の移動によって生じる復元力を効率よく減衰させて、振動の発生を抑えることができるマイクロホン装置を提供することにある。
【００１０】
上述した目的を達成するため、本発明は以下に示すいくつかの特徴を備えている。請求項１に記載の発明は、テーブルなどの被設置面に設置されるマイクロホンスタンドを含み、上記マイクロホンスタンドに所定の支持部材を介してマイクロホンを支持してなるマイクロホン装置において、上記マイクロホンスタンドは、上記支持部材が立設される基盤部を備え、上記基盤部の底部の外周に沿って上記被設置面に対して非接触な重錘部が環状に一体的に配置されているとともに、上記重錘部にて囲まれた上記基盤部の底部には、上記重錘部を含めて上記基盤部全体を上記被設置面から浮いた状態に支持する上記基盤部とは異なる材料からなる支持脚が設けられており、上記基盤部に対する上記支持脚の支点が、上記マイクロホンおよび上記重錘部の各質量を含む上記基盤部の重心位置よりも上となる位置に配置されていることを特徴としている。
【００１３】
請求項２に記載の発明は、上記請求項１において、上記重錘部の底部には、衝撃緩衝材が設けられていることを特徴としている。
【００１４】
請求項３に記載の発明は、上記請求項１または２において、上記支持脚には、多角形の各頂点位置に配置される複数個の支持脚メンバーが含まれていることを特徴としている。
【００１５】
請求項４に記載の発明は、上記請求項１または２において、上記支持脚は、円筒状またはリング状に形成されていることを特徴としている。
【００１６】
請求項５に記載の発明は、上記請求項１ないし４のいずれか１項において、上記支持脚の上記基盤部との対向する端部が、断面三角形状に形成されていることを特徴としている。
【発明の効果】
【００１７】
本発明によれば、基盤部の外周部に重量の重い重錘部を環状に設け、重錘部の内側に支持脚を配置し、支持脚の支点を基盤部の重心位置よりも上となる位置に配置することにより、基盤部が衝撃などによって傾くと重心の位置へ戻ろうとする復元力によって減衰させることができる。すなわち、「やじろべえの原理」によって効果的に振動を減衰させることができる。また、支持脚が基盤部とは異なる材質によって構成されているため、基盤部と支持脚とが共振することを防止することができる。
【００１９】
また、重錘部の底面に衝撃緩衝材を設けることにより、基盤部の振れが大きく、重錘部が被設置面に触れたとしても、振動雑音を衝撃緩衝材で抑えることができるばかりでなく、被設置面への傷つき防止効果も生まれる。
【００２１】
また、支持脚を円筒状もしくはリング状に形成することにより、３６０°全方位からの振動入力に対して効果的な減衰効果を得ることができる。
【００２２】
また、支持脚の上記基盤部との対向する端部を断面三角形状に形成することで、振動雑音の入力を低減でき、減衰効果も大きい。
【発明を実施するための最良の形態】
【００２３】
次に、本発明の実施形態について図面を参照しながら説明するが、本発明はこの限りではない。図１は、本発明の一実施形態に係るマイクロホン装置の斜視図であり、図２は、同マイクロホン装置の要部断面図であり、図３は、基盤部の中央横断面である。
【００２４】
図４は、本発明のマイクロホン装置の機械的な原理を説明する説明図であり、図５および図６は、基盤部の変形例を示す（ａ）中央縦断面図および（ｂ）中央横断面図である。なお、上述した従来例と同一もしくは同一と見なされる箇所には同じ参照符号を付した。
【００２５】
図１および図２に示すように、このマイクロホン装置１０は、テーブルなどの被設置面Ｔの上に据え置かれる基盤部２０と、同基盤部２０の上に着脱自在に取り付けられるマイクロホン３０とを備えている。
【００２６】
この実施形態において、マイクロホン３０は、フレキシブルシャフトと伸縮パイプとを含む支持パイプ３１を備え、支持パイプ３１の先端にはマイクロホンユニット３２が一体的に取り付けられている。支持パイプ３１の構成は仕様に応じて任意に変更されてよい。
【００２７】
支持パイプ３１の他端には、基盤部２０に設けられたコネクタベース４に連結されるコネクタ端子３３が設けられている。コネクタ端子３３の仕様は、本発明において任意である。また、コネクタ端子３３を設けずに基盤部２０にマイクロホン３０を固定されてもよい。
【００２８】
本発明において、マイクロホン３０は、いわゆるグースネック型マイクロホンが用いられているが、マイクロホンを支持アームによって支持するタイプのマイクロホン装置であってもよく、マイクロホン３０は、仕様に応じて任意に設定されてよい。
【００２９】
基盤部２０は、金属製（この例では真ちゅうの削り出し品）の円盤体からなり、基盤部２０には、上述したマイクロホン３０のコネクタ端子３０が接続されるコネクタベース４が設けられている。
【００３０】
この例において、コネクタベース４は、卓上型マイクロホン装置として使用する際に、マイクロホン３０と話者との間に書類などを置く空間を設けるためにマイクロホン３０を傾けて使用したときに重心が偏らないようにするため、マイクロホン３０の傾斜方向とは離反する方向に偏って設けられている。
【００３１】
基盤部２０には、基盤部２０の質量の大部分を占める重錘部２１が、被設置面Ｔに非接触な状態（浮いている状態）で設けられている。重錘部２１は、基盤部２０の底部の外周に沿って環状に下向きに突出されており、その底面には、被設置面Ｔに対して接触した際に衝撃を緩衝する衝撃緩衝材２２が設けられている。
【００３２】
この例において、重錘部２１は、基盤部２０の底部外周に沿って環状に設けられているが、その一部が切り欠かれていてもよいし、分割されていてもよい。また、重錘部２１は基盤部２０に一体形成であってもよいし、別体であってもよく、被設置面Ｔとは非接触となるように設けられていればよい。
【００３３】
基盤部２０の下面には、基盤部２０を被設置面Ｔに接地させる支持脚５が設けられている。支持脚５は、その支点がマイクロホン３０を含む基盤部２０の重心の高さ位置よりも高い位置になるように配置されている。
【００３４】
支持脚５は、硬質ウレタン製の円筒体からなる４つの支持脚メンバー５１を基盤部２０の内側に形成された凹所２３内に四角形状に配置するように設けられている。この例において、支持脚５は、硬質ウレタン製であるが、基盤部２０の材質と異なる材質であることが好ましい。
【００３５】
支持脚５を異なる材料で構成したことにより、基盤部２０との共振を抑えることができ、振動雑音をより効果的に抑えることができる。この例において、支持脚５は硬質ウレタンが用いられているが、他の樹脂製であってもよいし、金属製であってもよい。さらには、支持脚５の被設置面Ｔとの間にさらに防振材などを設けてもよい。
【００３６】
これによれば、図４に示すように、支持脚５（図中矢印）の支点Ｐをマイクロホン３０を含む基盤部２０の重心の高さ位置Ｇｈよりも高い位置に配置したことにより、いわゆる「やじろべえの原理」によって、重錘部２１が左右に傾いても、重心の位置へもどろうとする復元力によって、振動を減衰させることができる。
【００３７】
この例において、支持脚５は、４つの支持脚メンバー５１を四角形の頂点にそれぞれ配置した構造となっているが、３つの支持脚メンバー５１を三角形の頂点にそれぞれ配置するように設けてもよい。
【００３８】
さらに別な態様としては、図５（ａ）の中央縦断面図および（ｂ）の中央横断面図に示すように、この支持脚５ａは、１つの大きな円盤体からなり、基盤部２０の凹所２３の中央に配置されている。これによれば、３６０°方向からの入力振動に対してより高い減衰効果が得られる。この例において、支持脚５は、コネクタベース４の取付孔を避けるように一部が切り欠かれている。
【００３９】
さらに別の態様としては、図６（ａ）および（ｂ）に示すように、支持脚５ｂを円盤体ではなく、リング状に形成してもよい。これによれば、より支持脚５ｂの安定性を高めることができる。
【００４０】
また、図２、５および図６の各支持脚５，５ａ，５ｂの上端（基盤部２０との接点）は、水平面となっており、基盤部２０に対して面接触で支持するようになっているが、図７に示すように、支持脚５ｃの頂部を錐状（断面三角形状）に形成して、基盤部２０に対して線接触もしくは点接触で支持するようにしてもよい。このような態様も本発明に含まれる。
【００４１】
より好ましい態様としては、支持脚５の底面には、マイクロホン３０のマイクロホンユニット３２から支持パイプ３１内を通って基盤部２０の底面に引き出される図示しないマイクロホンコードを案内するガイド溝が設けられていることが好ましい。
【００４２】
このマイクロホン装置１０を使用するに当たっては、まず、テーブルなどの被設置面Ｔにマイクロホン装置１０を設置したのち、マイクロホン装置１０の底部から引き出されたマイクロホンケーブルおよびコネクタを音響機器（ともに図示せず）に接続するだけでよい。
【００４３】
そのとき、マイクロホン装置に１０に何らかの衝撃が加わり基盤部２０が傾いても、支持脚５の支点の位置が基盤部２０の重心の高さ位置よりも高い位置に設定されていることで、傾きにより生じた復元力によってマイクロホン装置１０の振動を減衰させることができる。
【００４４】
仮に振幅が大きくなりすぎて、基盤部２０の底面が被設置面Ｔに接触しても、重錘部２１の底部に衝撃緩衝材２２が設けられているため、衝撃による振動雑音を低減しつつ、被設置面Ｔが傷つくことを防止できる。
【図面の簡単な説明】
【００４５】
【図１】本発明の一実施形態に係るマイクロホン装置の斜視図。
【図２】上記マイクロホン装置の要部断面図。
【図３】基盤部の中央横断面図。
【図４】本発明のマイクロホン装置の効果を説明する説明図。
【図５】（ａ）基盤部の変形例を示す中央縦断面図および（ｂ）中央横断面図。
【図６】（ａ）基盤部の変形例を示す中央縦断面図および（ｂ）中央横断面図。
【図７】基盤部の変形例を示す中央縦断面図。
【図８】従来のマイクロホン装置の要部断面図。
【符号の説明】
【００４６】
１０  マイクロホン装置
２０  基盤部
２１  重錘部
２２  衝撃緩衝材
２３  凹所
３０  マイクロホン
４  コネクタベース
５  支持脚
Ｔ  被設置面
【図１】
0005210696.tif 000002
【図２】
0005210696.tif 000003
【図３】
0005210696.tif 000004
【図４】
0005210696.tif 000005
【図５】
0005210696.tif 000006
【図６】
0005210696.tif 000007
【図７】
0005210696.tif 000008
【図８】
0005210696.tif 000009